(57)【要約】【課題】簡単な回路構成により、適切にＬＥＤ電流のフィードバック制御を行うとともに、過電流を瞬時に検出して降圧チョッパのスイッチング素子をオフにする。【解決手段】ＬＥＤ点灯装置４１は以下の回路を備える。降圧チョッパ回路３２の出力に接続されたＬＥＤ１１。ＬＥＤ電流を検出するＬＥＤ電流検出抵抗１２。ＬＥＤ電流検出抵抗１２の両端の電圧差を検出する差動増幅器１４。誤差増幅器１５の出力信号と目標信号とを比較し、信号レベルを一致させる方向に降圧チョッパ回路３２の第二スイッチング素子７のオン時間を調整する第二スイッチング素子制御回路１７。降圧チョッパ回路３２の第二スイッチング素子７に流れる電流を検出するスイッチング電流検出抵抗１３。第二スイッチング素子制御回路１７はスイッチング電流検出抵抗１３に流れる電流が所定電流以上となると降圧チョッパ回路３２の第二スイッチング素子７をオフする。【選択図】図１
2011100621.tif 000002
【特許請求の範囲】
【請求項１】
交流電源からの交流電圧を直流電圧に変換する直流電源回路と、
スイッチング素子を有し、前記直流電源回路からの直流電圧を前記スイッチング素子のオン時間に応じた直流電圧に降圧する降圧チョッパ回路と、
光源が取り付けられ、前記降圧チョッパ回路で降圧した直流電圧により前記光源を点灯させる光源部と、
前記光源部に取り付けられた前記光源と直列に接続する光源電流検出抵抗と、
前記光源電流検出抵抗の両端の電圧差を検出する差動増幅器と、
前記差動増幅器により検出された電圧差に応じて前記降圧チョッパ回路の前記スイッチング素子のオン時間を調整するスイッチング素子制御回路と
を備えたことを特徴とする光源点灯装置。
【請求項２】
前記スイッチング素子制御回路は、前記差動増幅器により検出された電圧差が所定の目標電圧より大きい場合、前記降圧チョッパ回路の前記スイッチング素子のオン時間を変更して降圧後の直流電圧を小さくし、前記差動増幅器により検出された電圧差が前記目標電圧より小さい場合、前記降圧チョッパ回路の前記スイッチング素子のオン時間を変更して降圧後の直流電圧を大きくする
ことを特徴とする請求項１記載の光源点灯装置。
【請求項３】
前記光源点灯装置は、さらに、
グラウンド端子と、
前記降圧チョッパ回路の前記スイッチング素子と前記グラウンド端子との間に直列に接続するスイッチング電流検出抵抗とを備え、
前記スイッチング素子制御回路は、前記スイッチング電流検出抵抗にかかる電圧が所定の上限電圧を超えた場合、前記差動増幅器により検出された電圧差に関わらず、前記降圧チョッパ回路の前記スイッチング素子をオフにする
ことを特徴とする請求項２記載の光源点灯装置。
【請求項４】
前記光源点灯装置は、さらに、
前記降圧チョッパ回路で降圧した直流電圧を検出する出力電圧検出部を備え、
前記スイッチング素子制御回路は、前記差動増幅器により検出された電圧差と前記出力電圧検出部により検出された直流電圧とに応じて前記降圧チョッパ回路の前記スイッチング素子のオン時間を変更する
ことを特徴とする請求項２または請求項３記載の光源点灯装置。
【請求項５】
前記スイッチング素子制御回路は、前記差動増幅器により検出された電圧差が前記目標電圧より大きい場合と前記出力電圧検出部により検出された直流電圧が所定の基準電圧より大きい場合との少なくともいずれかの場合、前記降圧チョッパ回路の前記スイッチング素子のオン時間を変更して降圧後の直流電圧を小さくする
ことを特徴とする請求項４記載の光源点灯装置。
【請求項６】
前記光源点灯装置は、前記光源電流検出抵抗の両端の電圧差を検出する前記差動増幅器として第一の差動増幅器を備え、
前記出力電圧検出部は、
前記降圧チョッパ回路で降圧した直流電圧を分圧する分圧抵抗と、
前記降圧チョッパ回路で降圧した直流電圧に対応する電圧として、前記分圧抵抗の両端の電圧差を検出する第二の差動増幅器とを有し、
前記スイッチング素子制御回路は、前記第一の差動増幅器により検出された電圧差が前記目標電圧より大きい場合と前記第二の差動増幅器により検出された電圧差が前記基準電圧より大きい場合との少なくともいずれかの場合、前記降圧チョッパ回路の前記スイッチング素子のオン時間を変更して降圧後の直流電圧を小さくする
ことを特徴とする請求項５記載の光源点灯装置。
【請求項７】
前記出力電圧検出部は、
前記降圧チョッパ回路で降圧した直流電圧を分圧する分圧抵抗と、
前記分圧抵抗にかかる電圧が前記基準電圧を超えたか否かを検出するラッチ回路とを有し、
前記スイッチング素子制御回路は、前記ラッチ回路が前記基準電圧を超える電圧を検出した場合、前記差動増幅器により検出された電圧差に関わらず、前記降圧チョッパ回路の前記スイッチング素子をオフにする
ことを特徴とする請求項５記載の光源点灯装置。
【請求項８】
前記直流電源回路は、
前記交流電源からの交流電圧を直流電圧に変換する整流回路と、
第一のスイッチング素子を含み、前記整流回路からの直流電圧を前記第一のスイッチング素子のオン時間に応じた直流電圧に昇圧する昇圧チョッパ回路とを有し、
前記光源点灯装置は、
前記降圧チョッパ回路の前記スイッチング素子として第二のスイッチング素子を備え、
前記スイッチング素子制御回路は、
前記ラッチ回路が前記基準電圧を超える電圧を検出した場合、前記降圧チョッパ回路の前記第二のスイッチング素子をオフにすると共に前記昇圧チョッパ回路の前記第一のスイッチング素子をオフにする
ことを特徴とする請求項７記載の光源点灯装置。
【請求項９】
請求項１〜請求項８いずれかに記載の光源点灯装置と、
前記光源点灯装置の前記光源部に取り付けられる光源と
を備えたことを特徴とする照明装置。
【発明の詳細な説明】
【技術分野】
【０００１】
本発明は、例えば、ＬＥＤ（発光ダイオード）を点灯する光源点灯装置および照明装置に関するものである。
【背景技術】
【０００２】
ＬＥＤに電圧源を直接接続してＬＥＤを点灯させようとすると、ＬＥＤに電圧−電流特性に応じた過大な電流が流れてしまい、ＬＥＤを壊す可能性がある。
そこで、ＬＥＤに流れる電流を制限するために、ＬＥＤと直列に抵抗やトランジスタなどの電流制限素子が接続される。
しかしながら、このような方式は、電流制限素子による電力損失が大きく（低効率）、また電流制限素子で発熱が生じるため、近年主流になりつつあるハイパワーＬＥＤまたは高輝度ＬＥＤを用いたＬＥＤ照明器具に不向きである。
【０００３】
特許文献１は、抵抗やトランジスタに比べて電力損失が小さいスイッチング電源（降圧チョッパ回路）を用いたＬＥＤ点灯装置を提案している。
特許文献１記載のＬＥＤ点灯装置は、スイッチング素子、インダクタおよび還流ダイオードを有する降圧チョッパ回路を備える。この回路は、スイッチング素子をオンにするとインダクタにエネルギーを蓄えると同時に負荷側（ＬＥＤ）にエネルギーを供給し、スイッチング素子をオフにするとインダクタに蓄えられたエネルギーが還流ダイオードを介して負荷側に放出される。スイッチング素子は、ＬＥＤに電流を供給するために、高速に繰り返しオン・オフされる。
インダクタでのエネルギー損失は非常に小さいため、このような方式により高効率なＬＥＤ点灯装置を得ることができる。
【０００４】
また、ＬＥＤと直列に接続したＬＥＤ電流検出抵抗によりＬＥＤに流れるＬＥＤ電流を検出し、検出したＬＥＤ電流に応じてスイッチング素子のオン時間を調節するフィードバック制御が行われている。フィードバック制御によりＬＥＤ電流を制御できるため、ＬＥＤの明るさを調節する調光点灯を容易に達成することができる。
通常、ＬＥＤ電流検出抵抗はＬＥＤのカソード側とグラウンド（基準電位）との間に接続される。電流検出回路と電流制御回路との基準電位を同一とすることにより、ＬＥＤ電流に相当する電圧としてＬＥＤ電流検出抵抗にかかる電圧を容易に検出することができる。
【０００５】
しかし、何らかの原因により降圧チョッパ回路に過電流が流れた場合であっても、ＬＥＤ電流は降圧チョッパ回路の出力端に設けられる平滑用コンデンサにより平滑化されるため、ＬＥＤ電流検出抵抗では過電流を瞬時に検出することができない。
そのため、降圧チョッパ回路のスイッチング素子に流れる電流を検出するスイッチング電流検出抵抗を設けることがある。スイッチング電流検出抵抗で過電流が検出された場合、降圧チョッパ回路のスイッチング素子は瞬時にオフされる。
【０００６】
スイッチング素子としてトランジスタが用いられる場合、スイッチング電流検出抵抗はエミッタ端子に接続され、スイッチング素子としてＭＯＳ−ＦＥＴが用いられる場合、スイッチング電流検出抵抗はソース端子に接続される。
但し、スイッチング素子のエミッタ端子またはソース端子にスイッチング電流検出抵抗を接続した場合、電流検出回路と電流制御回路との基準電位が異なるため、スイッチング電流検出回路で得られた信号をフォトカプラ等を用いて電流制御回路に伝送する必要がある。
そのため、ＬＥＤ点灯装置の回路の大型化および高コスト化が生じる。
【先行技術文献】
【特許文献】
【０００７】
【特許文献１】特開２００８−５２９９４号公報
【発明の概要】
【発明が解決しようとする課題】
【０００８】
本発明は、例えば、上記のような課題を解決するためになされたものであり、簡単な回路構成により、ＬＥＤ電流のフィードバック制御を適切に行い、且つ過電流を瞬時に検出してスイッチング素子をオフできるようにすることを目的とする。
【課題を解決するための手段】
【０００９】
本発明の光源点灯装置は、
交流電源からの交流電圧を直流電圧に変換する直流電源回路と、
スイッチング素子を有し、前記直流電源回路からの直流電圧を前記スイッチング素子のオン時間に応じた直流電圧に降圧する降圧チョッパ回路と、
光源が取り付けられ、前記降圧チョッパ回路で降圧した直流電圧により前記光源を点灯させる光源部と、
前記光源部に取り付けられた前記光源と直列に接続する光源電流検出抵抗と、
前記光源電流検出抵抗の両端の電圧差を検出する差動増幅器と、
前記差動増幅器により検出された電圧差に応じて前記降圧チョッパ回路の前記スイッチング素子のオン時間を調整するスイッチング素子制御回路と
を備える。
【発明の効果】
【００１０】
本発明によれば、例えば、フォトカプラ等を用いなくても、ＬＥＤ電流のフィードバック制御を適切に行い、且つ過電流を瞬時に検出してスイッチング素子をオフすることができる。
【図面の簡単な説明】
【００１１】
【図１】実施の形態１における照明装置のＬＥＤ点灯装置４１を表す回路図。
【図２】実施の形態２における照明装置のＬＥＤ点灯装置４１を表す回路図。
【図３】実施の形態３における照明装置のＬＥＤ点灯装置４１を表す回路図。
【図４】実施の形態４における照明装置４０の側断面図。
【発明を実施するための形態】
【００１２】
実施の形態１．
ＬＥＤ電流のフィードバック制御を行ってＬＥＤを調光すると共に、過電流を瞬時に検出して電流を制御するＬＥＤ点灯装置について説明する。
【００１３】
図１は、実施の形態１における照明装置のＬＥＤ点灯装置４１を表す回路図である。
実施の形態１における照明装置のＬＥＤ点灯装置４１について、図１に基づいて以下に説明する。
【００１４】
ＬＥＤ点灯装置４１は、商用交流電源１から電力の供給を受け、複数のＬＥＤを直列に接続したＬＥＤユニット（以下、「ＬＥＤ１１」という）を特定の明るさで点灯させる。特定の明るさは、照明装置を操作する操作器（例えば、調光スイッチやリモコン）により指定される。以下、照明装置の操作器により指定された特定の明るさを「目標照度」という。
【００１５】
ＬＥＤは光源の一例であり、ＬＥＤの代わりに又はＬＥＤと共に他の光源を用いても構わない。例えば、光源として有機ＥＬ（エレクトロルミネセンス）を用いても構わない。ＬＥＤ１１や有機ＥＬは電流の大きさに応じて明るさが変化する光源である。
以下、ＬＥＤ１１に流れる電流を「ＬＥＤ電流」という。
【００１６】
まず、ＬＥＤ点灯装置４１の構成について説明する。
ＬＥＤ点灯装置４１は、整流回路２、昇圧チョッパ回路３１、第一スイッチング素子制御回路３３、降圧チョッパ回路３２、駆動回路１８、光源部３４、ＬＥＤ電流検出抵抗１２、差動増幅器１４、誤差増幅器１５、調光コントローラ１６、ダイオード３７、スイッチング電流検出抵抗１３および第二スイッチング素子制御回路１７を備える。光源部３４にはＬＥＤ１１が取り付けられる。
【００１７】
整流回路２は、入力側で商用交流電源１に接続し、出力側で昇圧チョッパ回路３１に接続する。
整流回路２は、商用交流電源１から供給される交流電圧を全波整流する。商用交流電源１から供給される交流電圧は全波整流により直流電圧（脈動電圧）に変換される。
例えば、整流回路２としてダイオードブリッジが用いられる。
【００１８】
昇圧チョッパ回路３１は、入力側で整流回路２に接続し、出力側で降圧チョッパ回路３２に接続する。
昇圧チョッパ回路３１は、整流回路２により全波整流された直流電圧を昇圧させると共に平滑化し、昇圧および平滑化した直流電圧を降圧チョッパ回路３２に供給する。
【００１９】
昇圧チョッパ回路３１は、第一インダクタ３、第一スイッチング素子４、ダイオード５および第一平滑コンデンサ６を備える。
第一スイッチング素子４は、オン（入）／オフ（切）を第一スイッチング素子制御回路３３（図１の「制御ＩＣ」）により切り替えられる。
第一インダクタ３は、第一スイッチング素子４がオンのときに整流回路２からの直流電圧（電流）をエネルギーとして蓄え、蓄えたエネルギーを第一スイッチング素子４がオフのときに降圧チョッパ回路３２および第一平滑コンデンサ６に供給する。
第一平滑コンデンサ６は、第一スイッチング素子４がオフのときに整流回路２および第一インダクタ３からの直流電圧をエネルギーとして蓄え、蓄えたエネルギーを降圧チョッパ回路３２に供給する。
ダイオード５は、第一スイッチング素子４がオフのときに第一インダクタ３からの直流電流を第一平滑コンデンサ６へ流す。
【００２０】
整流回路２からの直流電圧は、第一スイッチング素子４のデューティー比（オン時間の割合）に応じて昇圧し、第一平滑コンデンサ６により平滑化される。
【００２１】
整流回路２と昇圧チョッパ回路３１とは、直流電圧を供給する直流電源回路を構成する。このように、整流回路２と昇圧チョッパ回路３１とを組み合わせて直流電源回路を構成することにより、ＬＥＤ点灯装置４１の力率を向上することができる。但し、整流回路２と昇圧チョッパ回路３１との組み合わせ以外で直流電源回路を構成しても構わない。例えば、直流電源回路としてコンデンサインプット形整流回路を用いても構わない。
【００２２】
第一スイッチング素子制御回路３３は昇圧チョッパ回路３１の第一スイッチング素子４と接続し、第一スイッチング素子４のスイッチのオン／オフを切り替える。
例えば、第一スイッチング素子制御回路３３は「ＩＣ（半導体集積回路）」で構成され、第二スイッチング素子７は「ＭＯＳ−ＦＥＴ」で構成される。この場合、第一スイッチング素子制御回路３３は第二スイッチング素子７のゲート端子に接続し、接続するゲート端子にかける電圧を制御して第二スイッチング素子７のオン／オフを切り替える。スイッチオン時にはＭＯＳ−ＦＥＴのドレイン−ソース間に電流が流れ、スイッチオフ時にはＭＯＳ−ＦＥＴのドレイン−ソース間に電流が流れない。
図１において、第一スイッチング素子制御回路３３を「制御ＩＣ」と記す。
【００２３】
降圧チョッパ回路３２は、入力側で昇圧チョッパ回路３１に接続し、出力側でＬＥＤ１１に接続する。
降圧チョッパ回路３２は、昇圧チョッパ回路３１で昇圧された直流電圧を特定の大きさを持つ直流電圧に降圧させると共に平滑化し、降圧および平滑化した直流電圧をＬＥＤ１１に供給する。
【００２４】
降圧チョッパ回路３２は、第二スイッチング素子７、第二インダクタ８、還流ダイオード９および第二平滑コンデンサ１０を備える。
第二スイッチング素子７は、オン／オフを駆動回路１８により切り替えられる。
第二インダクタ８は、第二スイッチング素子７がオンのときに昇圧チョッパ回路３１からの直流電圧をエネルギーとして蓄え、蓄えたエネルギーを第二スイッチング素子７がオフのときにＬＥＤ１１および第二平滑コンデンサ１０に供給する。
第二平滑コンデンサ１０は、第二スイッチング素子７がオンのときに昇圧チョッパ回路３１からの直流電圧をエネルギーとして蓄える。
還流ダイオード９は、第二スイッチング素子７がオフのときに降圧チョッパ回路３２内に電流経路を確保する。第二スイッチング素子７がオフのとき降圧チョッパ回路３２には「第二インダクタ８→第二平滑コンデンサ１０→還流ダイオード９→第二インダクタ８」の経路で電流が流れる。
【００２５】
昇圧チョッパ回路３１からの直流電圧は、第二スイッチング素子７のデューティー比に応じて降圧し、第二平滑コンデンサ１０により平滑化される。第二平滑コンデンサ１０での直流電圧（直流電流）の平滑化により、ＬＥＤ電流のリップル（脈動の大きさ）を小さくし、ＬＥＤ電流のピーク値（脈流の最大値）がＬＥＤ１１の最大定格電流をオーバーすることを抑制することができる。
【００２６】
駆動回路１８は第二スイッチング素子制御回路１７と降圧チョッパ回路３２の第二スイッチング素子７と接続し、第二スイッチング素子制御回路１７から出力されるスイッチング信号に従って第二スイッチング素子７のオン／オフを切り替える。
例えば、駆動回路１８は「パルストランス」で構成され、第二スイッチング素子７は「ＭＯＳ−ＦＥＴ」で構成される。この場合、駆動回路１８は第二スイッチング素子７のゲート端子に接続し、第二スイッチング素子制御回路１７からのスイッチング信号を第二スイッチング素子７のゲート端子に伝送する。第二スイッチング素子７は第二スイッチング素子制御回路１７からのスイッチング信号に応じてオン／オフが切り替わる。
【００２７】
ＬＥＤ電流検出抵抗１２はＬＥＤ１１のカソード側でＬＥＤ１１と直列に接続する。
ＬＥＤ電流検出抵抗１２はＬＥＤ１１に流れるＬＥＤ電流の検出に用いられる。
【００２８】
差動増幅器１４は、２つの入力端子でＬＥＤ電流検出抵抗１２の両端に接続し、出力端子で誤差増幅器１５に接続する。
差動増幅器１４は、ＬＥＤ電流に相当する電圧としてＬＥＤ電流検出抵抗１２の両端の電圧差を検出し、検出した電圧差を増幅する。以下、差動増幅器１４により検出され、増幅された電圧差を「差動電圧」という。差動増幅器１４の出力端子の電圧は差動電圧である。
【００２９】
差動増幅器１４を用いてＬＥＤ電流に相当する電圧を検出することにより、ＬＥＤ電流検出抵抗１２の後段（下流側、低電位［グラウンド］側）に位置するスイッチング電流検出抵抗１３の降下電圧を含めず、ＬＥＤ電流検出抵抗１２の降下電圧のみを検出することができる。つまり、差動増幅器１４を用いることにより、スイッチング電流検出抵抗１３の電圧降下の影響を受けず、ＬＥＤ電流を正確に検出することができる。
一方、差動増幅器１４の代わりに誤差増幅器を用いた場合、ＬＥＤ１１のカソードとグラウンド端子間の電圧、つまり、ＬＥＤ電流検出抵抗１２の降下電圧にスイッチング電流検出抵抗１３の降下電圧を加えた電圧をＬＥＤ電流に相当する電圧として検出してしまう。したがって、差動増幅器１４の代わりに誤差増幅器を用いた場合、ＬＥＤ電流検出抵抗１２の降下電圧のみをＬＥＤ電流に相当する電圧として検出することができない。
【００３０】
差動増幅器１４の増幅率は差動増幅器１４を構成する各抵抗の抵抗値の割り合いによって定まる。また、差動増幅器１４を構成する各抵抗は外部から取り換えることができる。つまり、差動増幅器１４の各抵抗を取り換えて差動増幅器１４の増幅率を自由に設定することができる。そして、差動増幅器１４の増幅率を適切に設定すれば、抵抗値が小さい抵抗をＬＥＤ電流検出抵抗１２として用いることができ、ＬＥＤ電流検出抵抗１２による電力損失を低減することができる。
【００３１】
誤差増幅器１５は、２つの入力端子のうち一方の入力端子で差動増幅器１４の出力端子と接続し、他方の入力端子で可変電圧器１９に接続する。また、誤差増幅器１５の出力端子は、ダイオード３７を介して第二スイッチング素子制御回路１７に接続する。ダイオード３７はカソード側で誤差増幅器１５に接続し、アノード側で第二スイッチング素子制御回路１７に接続する。
可変電圧器１９は、調光コントローラ１６（図１の「調光信号」）により制御され、特定の大きさの電圧を持つ。以下、可変電圧器１９の電圧を「目標電圧」という。
誤差増幅器１５は、差動増幅器１４の差動電圧と可変電圧器１９の目標電圧との電圧差を検出し、検出した電圧差を増幅する。以下、誤差増幅器１５により検出され、増幅された電圧差を「誤差電圧」という。誤差増幅器１５の出力端子の電圧は誤差電圧である。
【００３２】
調光コントローラ１６は、ＬＥＤ１１の目標照度に対応する所定の電圧（目標電圧）を可変電圧器１９に設定する。目標電圧の大きさは、ＬＥＤ１１を目標照度で点灯させるためのＬＥＤ電流（目標ＬＥＤ電流）の大きさに対応する。目標電圧は照度と対応付けられて予め定められているものとする。
【００３３】
スイッチング電流検出抵抗１３は、一端側でＬＥＤ電流検出抵抗１２と直列に接続し、他端側でグラウンド端子に接続する。つまり、スイッチング電流検出抵抗１３は、一端側でＬＥＤ電流検出抵抗１２、ＬＥＤ１１および降圧チョッパ回路３２を介して第二スイッチング素子７と直列に接続し、他端側でグラウンド端子と接続する。スイッチング電流検出抵抗１３は、第二スイッチング素子７に流れる電流の検出に用いられる。スイッチング電流検出抵抗１３は降圧チョッパ回路３２の一方の入力端に位置し、第二スイッチング素子７は降圧チョッパ回路３２のもう一方の入力端に位置する。以下、スイッチング電流検出抵抗１３に流れる電流を「スイッチング電流」という。
【００３４】
第二スイッチング素子制御回路１７は、誤差増幅器１５の出力端子（ダイオード３７のアノード側）、スイッチング電流検出抵抗１３の一端側（スイッチング電流検出抵抗１３とＬＥＤ電流検出抵抗１２との間）、駆動回路１８およびグラウンド端子と接続する。第二スイッチング素子制御回路１７は、スイッチング電流に対応する電圧としてスイッチング電流検出抵抗１３にかかる電圧（スイッチング電流検出抵抗１３の一端側の電圧）を検出する。以下、スイッチング電流検出抵抗１３にかかる電圧を「スイッチング電圧」という。
【００３５】
第二スイッチング素子制御回路１７は、誤差増幅器１５の誤差電圧とスイッチング電流検出抵抗１３にかかるスイッチング電圧とに基づいて、実際のＬＥＤ電流と目標ＬＥＤ電流との差が小さくなるように、駆動回路１８を介して第二スイッチング素子７を制御する。このとき、第二スイッチング素子制御回路１７は第二スイッチング素子７を制御するために所定の電圧を持つスイッチング信号を駆動回路１８に出力する。
これにより、第二スイッチング素子制御回路１７は、実際のＬＥＤ電流を目標ＬＥＤ電流に近づけ、ＬＥＤ１１をおおよそ目標照度で点灯させることができる。
【００３６】
以下に、第二スイッチング素子制御回路１７による第二スイッチング素子７の制御について説明する。
【００３７】
差動増幅器１４で検出される差動電圧はＬＥＤ電流が大きいほど大きくなる。
差動増幅器１４で検出された差動電圧が可変電圧器１９の目標電圧より大きい場合、つまり、実際のＬＥＤ電流が目標ＬＥＤ電流より大きい場合、誤差増幅器１５で検出される誤差電圧は減少する方向となる。
差動増幅器１４で検出された差動電圧が可変電圧器１９の目標電圧より小さい場合、つまり、実際のＬＥＤ電流が目標ＬＥＤ電流より小さい場合、誤差増幅器１５で検出される誤差電圧は上昇する方向となる。
【００３８】
誤差電圧が減少する場合、第二スイッチング素子制御回路１７より誤差増幅器１５に流れ出す電流が大きくなる。そして、第二スイッチング素子７のデューティー比は小さくなり、ＬＥＤ電流は小さくなり、ＬＥＤ１１の照度は低くなる。
誤差電圧が上昇する場合、第二スイッチング素子制御回路１７より誤差増幅器１５に流れ出す電流が小さくなる。そして、第二スイッチング素子７のデューティー比は大きくなり、ＬＥＤ電流は大きくなり、ＬＥＤ１１の照度は高くなる。
【００３９】
さらに、第二スイッチング素子制御回路１７は以下のように第二スイッチング素子７を制御する。
【００４０】
第二スイッチング素子制御回路１７は、スイッチング電流検出抵抗１３にかかるスイッチング電圧の大きさが所定の電圧（以下、「上限電圧」という）を超えた場合、誤差増幅器１５で検出された誤差電圧に関わらず、駆動回路１８を介して第二スイッチング素子７をオフにする。この「第二スイッチング素子７をオフにする」とは、第二スイッチング素子７をオフにした状態で第二スイッチング素子７のオン／オフの切り替えを停止することである。
【００４１】
何らかの原因で降圧チョッパ回路３２に過電流が流れても、第二平滑コンデンサ１０によりＬＥＤ電流が平滑化されるためＬＥＤ電流検出抵抗１２により過電流を瞬時に検出することはできない。
しかし、第二スイッチング素子制御回路１７は、スイッチング電流検出抵抗１３によりスイッチング電流を検出することにより過電流を瞬時に検出する。そして、過電流を検出した第二スイッチング素子制御回路１７は、すぐに、第二スイッチング素子７をオフにする。これにより、過電流による第二インダクタ８の飽和やＬＥＤ１１の破損を防ぐことができる。
【００４２】
上記の通り、スイッチング電流検出抵抗１３は第二スイッチング素子７と直列関係にあり、かつ片側がグラウンド端子に接続されている。このため、スイッチング電流検出抵抗１３と第二スイッチング素子制御回路１７の基準電位（グラウンド）は等しく、第二スイッチング素子制御回路１７は第二スイッチング素子７に流れるスイッチング電流を容易に検出することができる。
【００４３】
第二スイッチング素子制御回路１７は、例えばＩＣで構成される。図１において、第二スイッチング素子制御回路１７を「制御ＩＣ」と記す。
【００４４】
次に、ＬＥＤ点灯装置４１の機能について説明する。
商用交流電源１を入れると、商用交流電源１から供給される交流電圧は整流回路２によって整流され、整流により直流電圧が得られる。整流により得られた直流電圧は昇圧チョッパ回路３１によって昇圧されると共に平滑化される。
【００４５】
昇圧チョッパ回路３１によって昇圧および平滑化された直流電圧は降圧チョッパ回路３２によって降圧される。
昇圧チョッパ回路３１の第二スイッチング素子７がオンになると、第二インダクタ８にエネルギーが蓄えられると共に第二インダクタ８を介して第二平滑コンデンサ１０が充電される。また、第二スイッチング素子７がオフになると、第二インダクタ８に蓄えられたエネルギーが放出し、「第二インダクタ８→第二平滑コンデンサ１０→還流ダイオード９→第二インダクタ８」の経路で電流が流れる。第二スイッチング素子７は駆動回路１８の制御によりオン／オフ動作を繰り返す。
【００４６】
第二スイッチング素子７に流れる電流（スイッチング電流）はスイッチング電流検出抵抗１３によって検出され、スイッチング電流検出抵抗１３によって検出された電流に相当する電圧は検出信号として第二スイッチング素子制御回路１７に入力される。
検出信号値が閾値（上限電圧）を超えた場合、第二スイッチング素子制御回路１７によってスイッチオフ信号が駆動回路１８に出力され、駆動回路１８と接続する第二スイッチング素子７がオフされる。
【００４７】
ＬＥＤ１１に流れる電流（ＬＥＤ電流）はＬＥＤ電流検出抵抗１２によって検出され、ＬＥＤ電流検出抵抗１２によって検出された電流に相当する差動電圧は検出信号として差動増幅器１４に入力される。
ＬＥＤ電流検出抵抗１２と差動増幅器１４とにより検出されたＬＥＤ電流の検出信号（差動電圧）は、誤差増幅器１５に入力され、調光コントローラ１６により設定される目標ＬＥＤ電流値と比較される。そして、ＬＥＤ電流の検出信号値と目標ＬＥＤ電流値との差に応じた誤差信号（誤差電圧）が誤差増幅器１５から第二スイッチング素子制御回路１７に出力される。
【００４８】
第二スイッチング素子制御回路１７では、以下のように、誤差信号に応じたフィードバック制御が行われる。このフィードバック制御により、ＬＥＤ電流と目標ＬＥＤ電流との差分が小さくなる。
【００４９】
ＬＥＤ電流が目標ＬＥＤ電流より大きいことを誤差信号が示す場合、第二スイッチング素子制御回路１７によって所定のスイッチング信号Ａが駆動回路１８に出力され、第二スイッチング素子７のデューティー比が小さくなる。そして、第二スイッチング素子７のデューティー比に応じてＬＥＤ電流は小さくなる。
ＬＥＤ電流が目標ＬＥＤ電流より小さいことを誤差信号が示す場合、第二スイッチング素子制御回路１７によって所定のスイッチング信号Ｂが駆動回路１８に出力され、第二スイッチング素子７のデューティー比が大きくなる。そして、第二スイッチング素子７のデューティー比に応じてＬＥＤ電流は大きくなる。
【００５０】
ＬＥＤ電流検出抵抗１２、差動増幅器１４、誤差増幅器１５および第二スイッチング素子制御回路１７は、ＬＥＤ１１に一定の大きさのＬＥＤ電流（目標ＬＥＤ電流）を流す機能（定電流機能）を有する定電流制御回路を構成する。
【００５１】
実施の形態１において、以下のようなＬＥＤ点灯装置４１について説明した。
電流制御回路（符号「１７」）及び電流検出回路（符号「１２」「１３」「１４」「１５」）の基準電位（グラウンド）を共通にすることができる。そして、スイッチング素子（符号「７」）に流れる電流とＬＥＤ１１に流れる電流とをフォトカプラなどの絶縁手段を用いずに検出できる。つまり、フォトカプラなどの絶縁手段が不要なため、ＬＥＤ点灯装置４１の小型化を達成できる。
また、フィードバック制御によりＬＥＤ電流の大きさを目標ＬＥＤ電流に近い大きさに保つことができる。このため、各ＬＥＤに寿命やその他特性のばらつきがあっても各ＬＥＤに略一定の電流を供給することができ、ＬＥＤの点灯精度（調光制御の精度）を高めることができる。
また、スイッチング電流を検出するため、何らかの原因により回路（符号「３２」）に過電流が流れてもスイッチング素子（符号「７」）を瞬時にオフすることができる。
【００５２】
実施の形態２．
過電圧を検出して電圧を制御するＬＥＤ点灯装置について説明する。
以下、実施の形態１と異なる事項について主に説明する。説明を省略する事項については実施の形態１と同様である。
【００５３】
図２は、実施の形態２における照明装置のＬＥＤ点灯装置４１を表す回路図である。
実施の形態２における照明装置のＬＥＤ点灯装置４１について、図２に基づいて以下に説明する。
【００５４】
まず、ＬＥＤ点灯装置４１の構成について説明する。
ＬＥＤ点灯装置４１は、実施の形態１（図１参照）の構成に加えて、分圧抵抗２０ａ、分圧抵抗２０ｂ、差動増幅器２１、誤差増幅器２２、ＯＲ回路２３およびトランジスタ３５を備える。この実施の形態では、ダイオード３７（図１参照）は不要となる。
分圧抵抗２０ａ、分圧抵抗２０ｂ、差動増幅器２１および誤差増幅器２２は降圧チョッパ回路３２で降圧した直流電圧（降圧チョッパ回路３２の出力電圧）を検出する出力電圧検出部を構成する。
【００５５】
分圧抵抗２０ａと分圧抵抗２０ｂは直列に接続する。また、分圧抵抗２０ａおよび分圧抵抗２０ｂは降圧チョッパ回路３２の出力側でＬＥＤ１１と並列に接続する。分圧抵抗２０ａはＬＥＤ１１のアノード側（上流側、高電位側）に位置し、分圧抵抗２０ｂはＬＥＤ１１のカソード側（下流側、低電位側）に位置する。分圧抵抗２０ａおよび分圧抵抗２０ｂは、降圧チョッパ回路３２の出力電圧、つまり、ＬＥＤ１１にかかる電圧の検出に用いられる。以下、降圧チョッパ回路３２の出力電圧であってＬＥＤ１１にかかる電圧を「ＬＥＤ電圧」という。
【００５６】
差動増幅器２１は、２つの入力端子で分圧抵抗２０ｂの両端に接続し、出力端子で誤差増幅器２２に接続する。
差動増幅器２１は、ＬＥＤ電圧に相当する電圧として分圧抵抗２０ｂの両端の電圧差を検出し、検出した電圧差を増幅する。以下、差動増幅器２１により検出され、増幅された電圧差を「第二差動電圧」という。また、差動増幅器１４により検出され、増幅された電圧差を「第一差動電圧」という。差動増幅器２１の出力端子の電圧は第二差動電圧である。
【００５７】
差動増幅器２１を用いてＬＥＤ電圧（第二差動電圧）を検出することにより、分圧抵抗２０ｂの後段（下流側、低電位［グラウンド］側）に位置するスイッチング電流検出抵抗１３の降下電圧を含めず、分圧抵抗２０ｂの降下電圧のみを検出することができる。つまり、差動増幅器２１を用いることにより、スイッチング電流検出抵抗１３の電圧降下の影響を受けず、ＬＥＤ電圧に相当する電圧を正確に検出することができる。
一方、差動増幅器２１の代わりに誤差増幅器を用いた場合、分圧抵抗２０ａとグラウンド端子間の電圧、つまり、分圧抵抗２０ｂの降下電圧にスイッチング電流検出抵抗１３の降下電圧を加えた電圧をＬＥＤ電圧に相当する電圧として検出してしまう。したがって、差動増幅器２１の代わりに誤差増幅器を用いた場合、分圧抵抗２０ｂの降下電圧のみをＬＥＤ電圧に相当する電圧として検出することができない。
【００５８】
誤差増幅器２２は、２つの入力端子のうち一方の入力端子で差動増幅器２１の出力端子と接続し、他方の入力端子で定電圧源２４に接続する。また、誤差増幅器２２は、出力端子でＯＲ回路２３に接続する。
定電圧源２４は、降圧チョッパ回路３２で許容される電圧として予め定められた電圧（以下、「許容出力電圧」という）に相当する大きさの電圧を供給する。以下、定電圧源２４の電圧を「基準電圧」という。例えば、ＬＥＤ一つあたりの順方向電圧と直列に接続するＬＥＤの個数との積より高い値が許容出力電圧として設定される。
誤差増幅器２２は、差動増幅器２１の第二差動電圧と定電圧源２４の基準電圧との電圧差を検出し、検出した電圧差を増幅する。以下、誤差増幅器２２により検出され、増幅された電圧差を「第二誤差電圧」という。また、誤差増幅器１５により検出され、増幅された電圧差を「第一誤差電圧」という。誤差増幅器２２の出力端子の電圧は第二誤差電圧である。
【００５９】
差動増幅器２１で検出される第二差動電圧はＬＥＤ電圧が大きいほど大きくなる。
差動増幅器２１で検出された第二差動電圧が定電圧源２４の基準電圧より大きい場合、つまり、ＬＥＤ電圧が許容出力電圧より大きい場合、誤差増幅器２２で検出された第二誤差電圧は上昇する。
差動増幅器２１で検出された第二差動電圧が定電圧源２４の基準電圧より小さい場合、つまり、ＬＥＤ電圧が許容出力電圧より小さい場合、誤差増幅器２２で検出された第二誤差電圧は減少する。
【００６０】
誤差増幅器１５の第一誤差電圧は、ＬＥＤ電流が目標ＬＥＤ電流より大きければ上昇し、ＬＥＤ電流が目標ＬＥＤ電流より小さければ減少する。
【００６１】
ＯＲ回路２３は、２つの入力端子のうち一方の入力端子で誤差増幅器１５の出力端子に接続し、他方の入力端子で誤差増幅器２２の出力端子に接続する。また、ＯＲ回路２３は出力端子でトランジスタ３５のベース端子に接続する。
ＯＲ回路２３は、誤差増幅器１５の第一誤差電圧と誤差増幅器２２の第二誤差電圧のいずれか電圧の高い方がトランジスタ３５のベース端子に入力される。
【００６２】
トランジスタ３５は、ベース端子でＯＲ回路２３の出力端子に接続し、コレクタ端子で第二スイッチング素子制御回路１７に接続し、エミッタ端子でグラウンド端子に接続する。以下、トランジスタ３５のコレクタ端子と接続する第二スイッチング素子制御回路１７の端子を「第一入力端子」という。また、スイッチング電流検出抵抗１３に接続する第二スイッチング素子制御回路１７の端子を「第二入力端子」という。
【００６３】
トランジスタ３５に入力されるベース電流の大きさに応じてコレクタ−エミッタ間が導通し、第二スイッチング素子制御回路１７から電流が流れ出す。第二スイッチング素子７のデューティー比は、流れ出す電流に応じて決まる。ここでは、流れ出す電流が大きいほど第二スイッチング素子７のデューティー比が小さくなるものとする。
【００６４】
すなわち、トランジスタ３５に入力される信号レベルが大きいほど第二スイッチング素子７のデューティー比は小さくなり、ＬＥＤ電流またはＬＥＤ電圧は小さくなる。
また、トランジスタ３５に入力される信号レベルが小さいほど第二スイッチング素子７のデューティー比は大きくなり、ＬＥＤ電流またはＬＥＤ電圧は大きくなる。
ＬＥＤの基準電圧は高く設定されているため、正常点灯時の誤差増幅器２２の出力信号は小さい。そのため、正常点灯時には、誤差増幅器１５の出力信号がトランジスタ３５に入力され、定電流制御が行われる。
【００６５】
次に、ＬＥＤ点灯装置４１の機能について説明する。
ＬＥＤの電気的特性より、ＬＥＤの順方向電圧はほぼ一定値である。したがって、通常点灯時の降圧チョッパ回路３２の出力電圧（ＬＥＤ電圧）は、ＬＥＤ電流の値によって若干変動するものの、ほぼ一定の電圧となる。
【００６６】
ここで、何らかの原因によりＬＥＤ１１が断線故障したものとする。
この場合、降圧チョッパ回路３２の出力側はオープン状態となり、ＬＥＤ電流はゼロになる。第二スイッチング素子制御回路１７は、定電流制御機能（実施の形態１参照）により、降圧チョッパ回路３２の第二スイッチング素子７のデューティー比を上げてＬＥＤ電流を増加させようとする。しかし、ＬＥＤ１１の断線故障によりＬＥＤ電流は上がらず、第二スイッチング素子７のデューティー比は最大まで上げられる。
断線状態で第二スイッチング素子７のデューティー比が最大になると昇圧チョッパ回路３１の出力電圧が降圧チョッパ回路３２で降圧されない。そのため、降圧チョッパ回路３２にかかる電圧は昇圧チョッパ回路３１の出力電圧すなわち第一平滑コンデンサ６の電圧まで上昇する恐れがある。第一平滑コンデンサ６には昇圧チョッパ回路３１の昇圧機能により高い電圧が印加されているため、第一平滑コンデンサ６の電圧が降圧されずに降圧チョッパ回路３２にかかると第二平滑コンデンサ１０やその他部品が故障に至る可能性がある。
【００６７】
そこで、第二スイッチング素子制御回路１７は、降圧チョッパ回路３２の出力電圧が基準電圧を超えた場合、降圧チョッパ回路３２の出力電圧を下げるために降圧チョッパ回路３２の第二スイッチング素子７のデューティー比を下げる。このフィードバック制御は降圧チョッパ回路３２の出力電圧を一定に保つ定電圧制御である。
【００６８】
つまり、何らかの原因によりＬＥＤ１１が断線故障した場合、第二スイッチング素子制御回路１７のフィードバック制御は定電流制御から定電圧制御に切り替わる。これにより、降圧チョッパ回路３２において第一平滑コンデンサ６の電圧は降圧され、降圧チョッパ回路３２の故障を防ぐことができる。
【００６９】
実施の形態２において、以下のようなＬＥＤ点灯装置４１について説明した。
通常点灯時は定電流動作により、調光コントローラ１６で決定される電流値でＬＥＤ１１が点灯する。しかし、ＬＥＤ１１の断線等により降圧チョッパ回路３２の出力電圧が所定電圧（許容出力電圧）を超えた場合、定電圧動作により、降圧チョッパ回路３２の出力電圧を低下させ、降圧チョッパ回路３２の故障を防ぐ。
つまり、通常時には定電流フィードバック制御（定電流制御機能）によりＬＥＤ１１に略一定の電流を供給し、異常発生時には定電圧フィードバック制御（定電圧制御機能）により出力電圧の異常な上昇を防ぐ。
【００７０】
また、差動増幅器２１を用いることにより、スイッチング電流検出抵抗１３の影響を受けず、降圧チョッパ回路３２の出力電圧を正確に検出する。
【００７１】
実施の形態３．
過電圧を検出したときに電圧の供給を停止するＬＥＤ点灯装置について説明する。
以下、実施の形態１と異なる事項について主に説明する。説明を省略する事項については実施の形態１と同様である。
【００７２】
図３は、実施の形態３における照明装置のＬＥＤ点灯装置４１を表す回路図である。
実施の形態３における照明装置のＬＥＤ点灯装置４１について、図３に基づいて以下に説明する。
【００７３】
ＬＥＤ点灯装置４１は、実施の形態１（図１参照）の構成に加えて、分圧抵抗２０ａ、分圧抵抗２０ｂおよびラッチ回路２５を備える。
分圧抵抗２０ａ、分圧抵抗２０ｂおよびラッチ回路２５は降圧チョッパ回路３２で降圧した直流電圧（降圧チョッパ回路３２の出力電圧）を検出する出力電圧検出部を構成する。
【００７４】
分圧抵抗２０ａと分圧抵抗２０ｂは、実施の形態２と同じく、直列に接続し、降圧チョッパ回路３２の出力側でＬＥＤ１１と並列に接続する。分圧抵抗２０ａおよび分圧抵抗２０ｂはＬＥＤ電圧の検出に用いられる。ＬＥＤ電圧とはＬＥＤ１１にかかる電圧のことであり、降圧チョッパ回路３２の出力電圧のことである。
【００７５】
ラッチ回路２５は、ＬＥＤ電圧が過電圧になったか否かを検出し、過電圧を検出した状態を維持する。
ラッチ回路２５は、過電圧を検出するまでは第二スイッチング素子制御回路１７にＨｉｇｈレベル信号を出力し、過電圧を検出した以後は第二スイッチング素子制御回路１７にＬｏｗレベル信号を出力する。
【００７６】
ラッチ回路２５は、カソード端子が分圧抵抗２０ａと分圧抵抗２０ｂとの間に接続するツェナーダイオード２６を備え、ツェナーダイオード２６により過電圧を検出する。以下、分圧抵抗２０ｂにかかる電圧をＬＥＤ電圧に相当する電圧として「ＬＥＤ分圧電圧」という。ツェナーダイオード２６のカソード側からアノード側へ電流を流すブレイクオーバー電圧は、通常時のＬＥＤ分圧電圧より大きく、降圧チョッパ回路３２を故障させるＬＥＤ電圧に相当するＬＥＤ分圧電圧より小さい適当な電圧であるものとする。ＬＥＤ分圧電圧がブレイクオーバー電圧を超えた場合（過電圧が検出された場合）、ツェナーダイオード２６にはカソード側からアノード側へ電流が流れる。
【００７７】
ラッチ回路２５は第一トランジスタ２７（ＮＰＮ型）と第二トランジスタ２８（ＰＮＰ型）とを備える。
第一トランジスタ２７は、ベース端子がツェナーダイオード２６のアノード端子と第二トランジスタ２８のコレクタ端子とに接続し、コレクタ端子が直流電源３６、第二トランジスタ２８のベース端子および第二スイッチング素子制御回路１７に接続し、エミッタ端子がグラウンド端子に接続する。
第二トランジスタ２８は、ベース端子が第一トランジスタ２７のコレクタ端子に接続し、コレクタ端子が第一トランジスタ２７のベース端子に接続し、エミッタ端子が直流電源３６に接続する。
以下、第一トランジスタ２７のコレクタ端子と接続する第二スイッチング素子制御回路１７の端子を「第三入力端子」という。また、誤差増幅器１５の出力端子と接続する第二スイッチング素子制御回路１７の端子を「第一入力端子」、スイッチング電流検出抵抗１３に接続する第二スイッチング素子制御回路１７の端子を「第二入力端子」という。
【００７８】
ＬＥＤ分圧電圧がブレイクオーバー電圧より小さい場合、ツェナーダイオード２６のアノード側に電流が流れず、ツェナーダイオード２６のアノード側に接続する第一トランジスタ２７はオフである。
第一トランジスタ２７がオフの場合、第一トランジスタ２７のコレクタ−エミッタ間は導通せず、第一トランジスタ２７に接続する第二スイッチング素子制御回路１７の第三入力端子は電位がＨｉｇｈレベル（直流電源３６とほぼ同じ電位）になる。このとき、第一トランジスタ２７のコレクタ−エミッタ間が導通しないため、第一トランジスタ２７に接続する第二トランジスタ２８はオフであり、第二トランジスタ２８のエミッタ−コレクタ間は導通しない。
第三入力端子がＨｉｇｈレベルである場合、第二スイッチング素子制御回路１７は、実施の形態１で説明したように第一入力端子の入力電圧（ＬＥＤ電流に相当）および第二入力端子の入力電圧（スイッチング電流に相当）に応じて第二スイッチング素子７を制御する。
【００７９】
ＬＥＤ分圧電圧がブレイクオーバー電圧を超えた場合、ツェナーダイオード２６のアノード側に電流が流れ、ツェナーダイオード２６のアノード側に接続する第一トランジスタ２７はオンになる。
第一トランジスタ２７がオンの場合、第一トランジスタ２７のコレクタ−エミッタ間は導通し、第一トランジスタ２７に接続する第二スイッチング素子制御回路１７の第三入力端子は電位がＬｏｗレベル（ほぼ「０」）になる。また、第一トランジスタ２７のコレクタ−エミッタ間が導通すると、第一トランジスタ２７に接続する第二トランジスタ２８がオンになり、第二トランジスタ２８のエミッタ−コレクタ間が導通する。そして、第二トランジスタ２８のエミッタ−コレクタ間が導通することにより、第二トランジスタ２８に接続する第一トランジスタ２７がオン状態を維持する。
第三入力端子がＬｏｗレベルである場合、第二スイッチング素子制御回路１７は、第一入力端子の入力電圧（ＬＥＤ電流に相当）および第二入力端子の入力電圧（スイッチング電流に相当）に関わらず、駆動回路１８にスイッチオフ信号を出力し、第二スイッチング素子７をオフにする。
【００８０】
実施の形態３において、以下のようなＬＥＤ点灯装置４１について説明した。
ＬＥＤ１１のオープン故障などが発生していない通常時、実施の形態１で説明したように、ＬＥＤ点灯装置４１は第二スイッチング素子制御回路１７の定電流制御によりＬＥＤ１１を点灯させる。
【００８１】
しかし、何らかの障害が発生し、降圧チョッパ回路３２の出力電圧が上昇した場合、ＬＥＤ点灯装置４１は以下のように機能する。
例えば、何らかの原因によりＬＥＤ１１がオープン故障した場合、実施の形態２で説明したように、降圧チョッパ回路３２の出力電圧は上昇する。
降圧チョッパ回路３２の出力電圧が所定電圧を超えたとき、ツェナーダイオード２６はオンとなり導通する。すると、ラッチ回路２５の第一トランジスタ２７はオンとなり導通し、第一トランジスタ２７のコレクタ端子に接続された第二スイッチング素子制御回路１７の端子はＬｏｗレベルとなる。そして、第二スイッチング素子制御回路１７は第二スイッチング素子７をオフにし、定電流制御を停止する。また、ラッチ回路２５は第一トランジスタ２７が一度オンになると、このオン状態を維持する。このため、第二スイッチング素子７がオフにされ、降圧チョッパ回路３２の出力電圧が低下し、ツェナーダイオード２６がオフになっても、第一トランジスタ２７にはラッチ回路２５からＬｏｗ信号が入力され続ける。つまり、第二スイッチング素子制御回路１７は定電流制御の停止状態を維持する。
【００８２】
実施の形態３において、以下のような保護回路（ラッチ回路２５）について説明した。
定電流制御を行っている場合、ＬＥＤ１１のオープン故障時は通常点灯時と比較して降圧チョッパ回路３２の出力電圧が上昇する。また、ＬＥＤ１１がオープン故障した場合、降圧チョッパ回路３２の出力を止めても構わないため、降圧チョッパ回路３２の出力電圧を一定に保たなくてもよい。したがって、降圧チョッパ回路３２の出力電圧を高い精度で検出する必要はない。
つまり、過電圧を検出した場合に定電流制御を停止して構わない用途においては、実施の形態２のように降圧チョッパ回路３２の出力電圧を差動増幅器２１を用いて高い精度で検出しなくても構わない。そのため、実施の形態３のように降圧チョッパ回路３２の出力電圧をツェナーダイオード２６を用いて簡単に検出すればよい。
【００８３】
さらに、上記の形態を以下のようにしてもよい。
第一スイッチング素子制御回路３３は、第二スイッチング素子制御回路１７が第二スイッチング素子７をオフにするときに昇圧チョッパ回路３１の第一スイッチング素子４をオフにする。
例えば、第二スイッチング素子制御回路１７と同様に第一スイッチング素子制御回路３３をラッチ回路２５の第一トランジスタ２７に接続する。そして、第一スイッチング素子制御回路３３は、ラッチ回路２５からＬｏｗ信号を入力した場合、昇圧チョッパ回路３１の第一スイッチング素子４をオフにする。
これにより、異常発生時（降圧チョッパ回路３２の第二スイッチング素子７をオフにしたとき）の消費電力を削減することができる。
【００８４】
実施の形態４．
実施の形態１−３で説明したＬＥＤ点灯装置４１を用いた照明装置について説明する。
【００８５】
図４は、実施の形態４における照明装置４０の側断面図である。
図４に示すように、照明装置４０は照明装置本体４９にＬＥＤ点灯装置４１、電源線４２、コネクタ４３、配線４４およびＬＥＤ１１を備える。
【００８６】
ＬＥＤ点灯装置４１として、実施の形態１−３いずれかで説明したものが用いられる。
【００８７】
ＬＥＤ点灯装置４１は、電源線４２およびコネクタ４３を介して商用交流電源１（図示省略）に接続される。
ＬＥＤ１１は、照明装置本体４９の発光面に装着され、配線４４によりＬＥＤ点灯装置４１に接続される。
【００８８】
ＬＥＤ点灯装置４１は、以下のようにＬＥＤ１１を調光点灯させる。
ＬＥＤ点灯装置４１はＬＥＤ電流を正確に検出し、フィードバック制御を行う。これにより、ＬＥＤ電流を目標電流値に保ち、各ＬＥＤに寿命やその他特性のばらつきがあっても各ＬＥＤに略一定の電流を供給し、正確なＬＥＤの点灯（調光制御）を達成することができる。また、スイッチング電流を検出するため、何らかの原因により回路（降圧チョッパ回路３２）に過電流が流れてもスイッチング素子（第二スイッチング素子７）を瞬時にオフすることができる。
【符号の説明】
【００８９】
１  商用交流電源、２  整流回路、３  第一インダクタ、４  第一スイッチング素子、５  ダイオード、６  第一平滑コンデンサ、７  第二スイッチング素子、８  第二インダクタ、９  還流ダイオード、１０  第二平滑コンデンサ、１１  ＬＥＤ、１２  ＬＥＤ電流検出抵抗、１３  スイッチング電流検出抵抗、１４  差動増幅器、１５  誤差増幅器、１６  調光コントローラ、１７  第二スイッチング素子制御回路、１８  駆動回路、１９  可変電圧器、２０ａ，２０ｂ  分圧抵抗、２１  差動増幅器、２２  誤差増幅器、２３  ＯＲ回路、２４  定電圧源、２５  ラッチ回路、２６  ツェナーダイオード、２７  第一トランジスタ、２８  第二トランジスタ、３１  昇圧チョッパ回路、３２  降圧チョッパ回路、３３  第一スイッチング素子制御回路、３４  光源部、３５  トランジスタ、３６  直流電源、３７  ダイオード、４０  照明装置、４１  ＬＥＤ点灯装置、４２  電源線、４３  コネクタ、４４  配線、４９  照明装置本体。
【図１】
2011100621.tif 000003
【図２】
2011100621.tif 000004
【図３】
2011100621.tif 000005
【図４】
2011100621.tif 000006